(57)【要約】【課題】汎用の雄コネクタであっても且つ電気的駆動部が無くとも雄コネクタの抜けを防止するとともに、大きな荷重を付さずとも雄コネクタを雌コネクタに差し込めるようにする。【解決手段】雌コネクタ１０の正面周囲にベース３０が設けられている。留め具６０は、ベース３０の背面に雌コネクタ１０に対して接離可能に設けられ、係合穴６１が形成されている。さらに、雌コネクタ１０に近づける方向に留め具６０を付勢する付勢部材７０と、ベース３０から背面側に倒伏した倒伏状態から、雄コネクタ２０の挿抜方向に対して起立した起立状態に回転可能に設けられたアーム４３と、が設けられている。留め具６０が雌コネクタ１０から離れた状態においてアーム４３が倒伏状態にあって係合穴６１に係合し、留め具６０が雌コネクタ１０に近づいた状態においてアーム４３が起立状態にあって係合穴６１から外れる。【選択図】図３
2009289630.tif 000002
【特許請求の範囲】
【請求項１】
雄コネクタを挿抜可能に抱持する雌コネクタの口の正面周囲に設けられたベースと、
前記ベースの背面において前記雄コネクタの挿抜方向に対して交わる方向に前記雌コネクタに対して接離可能に設けられ、係合部が形成された留め具と、
前記留め具を前記雌コネクタに近づける方向に前記留め具を付勢する付勢部材と、
前記ベースに取り付けられ、前記ベースから背面側に倒伏した倒伏状態から前記雄コネクタの挿抜方向に対して起立した起立状態に回転可能に設けられたアームと、を備え、
前記留め具が前記雌コネクタから離れた状態において前記アームが倒伏状態にあって前記係合部に係合し、前記留め具が前記雌コネクタに近づいた状態において前記アームが起立状態にあって前記係合部から外れることを特徴とする雄コネクタの抜け防止装置。
【請求項２】
前記アームと一体を成し、前記アームの回転軸に関して前記アームの反対側に設けられ、前記ベースから正面側に延出したフラップと、を更に備えることを特徴とする請求項１に記載の雄コネクタの抜け防止装置。
【請求項３】
前記アームを倒伏状態と起立状態との間の状態にするよう前記アーム又は前記フラップを弾性的に付勢する弾性部材と、を更に備えることを特徴とする請求項２に記載の雄コネクタの抜け防止装置。
【請求項４】
前記留め具に設けられ、前記留め具から前記ベースの正面側に突出し、前記ベースに対して前記留め具の接離方向に移動可能に設けられた摘みを更に備えることを特徴とする請求項１から３の何れか一項に記載の雄コネクタの抜け防止装置。
【請求項５】
前記雄コネクタを挿抜可能に抱持する雌コネクタと、
前記雌コネクタの口の正面周囲に設けられたベースと、
前記ベースの背面において前記雄コネクタの挿抜方向に対して交わる方向に前記雌コネクタに対して接離可能に設けられ、係合部が形成された留め具と、
前記留め具を前記雌コネクタに近づける方向に前記留め具を付勢する付勢部材と、
前記ベースに取り付けられ、前記ベースから背面側に倒伏した倒伏状態から前記雄コネクタの挿抜方向に対して起立した起立状態に回転可能に設けられたアームと、を備え、
前記留め具が前記雌コネクタから離れた状態において前記アームが倒伏状態にあって前記係合部に係合し、前記留め具が前記雌コネクタに近づいた状態において前記アームが起立状態にあって前記係合部から外れることを特徴とする嵌合装置。
【請求項６】
前記アームと一体を成し、前記アームの回転軸に関して前記アームの反対側に設けられ、前記ベースから正面側に延出したフラップと、を更に備えることを特徴とする請求項５に記載の嵌合装置。
【請求項７】
前記アームを倒伏状態と起立状態との間の状態にするよう前記アーム又は前記フラップを弾性的に付勢する弾性部材と、を更に備えることを特徴とする請求項６に記載の嵌合装置。
【請求項８】
前記留め具に設けられ、前記留め具から前記ベースの正面側に突出し、前記ベースに対して前記留め具の接離方向に移動可能に設けられた摘みを更に備えることを特徴とする請求項５から７の何れか一項に記載の嵌合装置。
【発明の詳細な説明】
【技術分野】
【０００１】
本発明は、雄コネクタの抜け防止装置及び嵌合装置に関する。
【背景技術】
【０００２】
ＵＳＢ規格は、パーソナルコンピュータ等に周辺機器を接続するにあたって最も普及した汎用インターフェイス規格の一つである。しかし、ＵＳＢ規格に従った雄コネクタが雌コネクタに嵌合した状態で、これらに振動又は外力が加わると、雄コネクタが雌コネクタから誤って抜けてしまうおそれがある。
【０００３】
そのような抜けを防止するべく、特許文献１、特許文献２等に記載された構造がある。
特許文献１に記載の構造にあっては、オスコネクタ（４０）には、汎用の係止穴（４５）の他に専用の係止爪（５０）が設けられ、メスコネクタ（１５）には、汎用の係止爪（１８）の他に専用の係合部（２０）が設けられている。オスコネクタ（４０）がメスコネクタ（１５）に嵌合すると、汎用の係止爪（１８）が汎用の係止穴（４５）に係止し、専用の係止爪（５０）が専用の係合穴（２０）に係合することで、オスコネクタ（４０）の抜けが防止される。
特許文献２に記載の構造にあっては、オスコネクタ（１０）には、汎用の係止穴（１８）が形成され、メスコネクタ（３０）には、電気駆動式の爪（５４）が設けられている。オスコネクタ（１０）がメスコネクタ（３０）に嵌合すると、爪（５４）が駆動されて、爪（５４）が係止穴（１８）に係止することで、オスコネクタ（１０）の抜けが防止される。
【特許文献１】特開２００３−２４３０９３号公報
【特許文献２】特開２００４−３３５２７５号公報
【発明の開示】
【発明が解決しようとする課題】
【０００４】
しかしながら、特許文献１に記載の構造にあっては、メスコネクタ（１５）に専用の係合部（５０）が設けられているから、規格に従った汎用のオスコネクタでは、その抜けを防止することができない。
一方、特許文献２に記載の構造にあっては、オスコネクタ（１０）が汎用のものであっても、その抜けを防止することができるが、爪（５４）が電気駆動式であるがゆえに、その構造も複雑になり、製造コストも増えてしまう。
【０００５】
また、特許文献１に記載の構造にあっては、汎用の係止穴（４５）・係止爪（１８）の他に専用の係合部（２０）・係止爪（５０）があるがゆえに、これらの係合・係止をするために大きな荷重が必要となる。つまり、オスコネクタ（４０）をメスコネクタ（１５）に差し込む際には、通常よりも大きな荷重を付さなければ、オスコネクタ（４０）をメスコネクタ（１５）に完全に差し込んで抜けを防止することができない。
【０００６】
そこで本発明の課題は、汎用の雄コネクタであっても且つ電気的駆動部が無くとも雄コネクタの抜けを防止するとともに、大きな荷重を付さずとも雄コネクタを雌コネクタに差し込めるようにすることである。
【課題を解決するための手段】
【０００７】
以上の課題を解決するために、請求項１に記載の雄コネクタの抜け防止装置は、雄コネクタを挿抜可能に抱持する雌コネクタの口の正面周囲に設けられたベースと、前記ベースの背面において前記雄コネクタの挿抜方向に対して交わる方向に前記雌コネクタに対して接離可能に設けられ、係合部が形成された留め具と、前記留め具を前記雌コネクタに近づける方向に前記留め具を付勢する付勢部材と、前記ベースに取り付けられ、前記ベースから背面側に倒伏した倒伏状態から前記雄コネクタの挿抜方向に対して起立した起立状態に回転可能に設けられたアームと、を備え、前記留め具が前記雌コネクタから離れた状態において前記アームが倒伏状態にあって前記係合部に係合し、前記留め具が前記雌コネクタに近づいた状態において前記アームが起立状態にあって前記係合部から外れることを特徴とする雄コネクタの抜け防止装置。
【０００８】
請求項２に記載の雄コネクタの抜け防止装置は、請求項１に記載の雄コネクタの抜け防止装置において、前記アームと一体を成し、前記アームの回転軸に関して前記アームの反対側に設けられ、前記ベースから正面側に延出したフラップと、を更に備えることを特徴とする。
【０００９】
請求項３に記載の雄コネクタの抜け防止装置は、請求項２に記載の雄コネクタの抜け防止装置において、前記アームを倒伏状態と起立状態との間の状態にするよう前記アーム又は前記フラップを弾性的に付勢する弾性部材と、を更に備えることを特徴とする。
【００１０】
請求項４に記載の雄コネクタの抜け防止装置は、請求項１から３の何れか一項に記載の雄コネクタの抜け防止装置において、前記留め具に設けられ、前記留め具から前記ベースの正面側に突出し、前記ベースに対して前記留め具の接離方向に移動可能に設けられた摘みを更に備えることを特徴とする。
【００１１】
請求項５に記載の嵌合装置は、前記雄型コネクタを挿抜可能に抱持する雌コネクタと、前記雌コネクタの口の正面周囲に設けられたベースと、前記ベースの背面において前記雄型コネクタの挿抜方向に対して交わる方向に前記雌コネクタに対して接離可能に設けられ、係合部が形成された留め具と、前記留め具を前記雌コネクタに近づける方向に前記留め具を付勢する付勢部材と、前記ベースに取り付けられ、前記ベースから背面側に倒伏した倒伏状態から前記雄型コネクタの挿抜方向に対して起立した起立状態に回転可能に設けられたアームと、を備え、前記留め具が前記雌コネクタから離れた状態において前記アームが倒伏状態にあって前記係合部に係合し、前記留め具が前記雌コネクタに近づいた状態において前記アームが起立状態にあって前記係合部から外れることを特徴とする。
【００１２】
請求項６に記載の嵌合装置は、請求項５に記載の嵌合装置において、前記アームと一体を成し、前記アームの回転軸に関して前記アームの反対側に設けられ、前記ベースから正面側に延出したフラップと、を更に備えることを特徴とする。
【００１３】
請求項７に記載の嵌合装置は、請求項６に記載の嵌合装置において、前記アームを倒伏状態と起立状態との間の状態にするよう前記アーム又は前記フラップを弾性的に付勢する弾性部材と、を更に備えることを特徴とする。
【００１４】
請求項８に記載の嵌合装置は、請求項５から７の何れか一項に記載の嵌合装置において、前記留め具に設けられ、前記留め具から前記ベースの正面側に突出し、前記ベースに対して前記留め具の接離方向に移動可能に設けられた摘みを更に備えることを特徴とする。
【発明の効果】
【００１５】
本発明によれば、雄コネクタ挿入前は、付勢部材によって付勢される留め具がアームによって支持され、雌コネクタから離れた状態で保持されるため、大きな力を加えずに雄コネクタを雌コネクタに挿し込むことができる。また、雄コネクタ挿入後は、留め具を支持するアームがはずれ、付勢部材により付勢された留め具が雌コネクタを介して雄コネクタを止めることにより、電気的に留め具を駆動することなく高い抜け防止効果を得ることができる。
【発明を実施するための最良の形態】
【００１６】
以下に、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
【００１７】
図１は、嵌合装置１及びそれに嵌め合う雄コネクタ２０の正面、右側面及び上面を示した斜視図であり、図２は、嵌合装置１及び雄コネクタ２０の背面、右側面及び上面を示した斜視図である。図１及び図２に示された嵌合装置１は、ナビゲーション装置、オーディオ装置、ディスクプレーヤといった電子機器に設けられたものである。
【００１８】
図示した雄コネクタ２０は、モールド樹脂である本体部２３の先端面から突出している。雄コネクタ２０はその先から見て矩形筒状に設けられ、雄コネクタ２０の内側には接触端子２１等が設けられている。雄コネクタ２０の上面に２つの係止穴２２が形成され、これら係止穴２２が雄コネクタ２０の内側まで貫通している。雄コネクタ２０はＵＳＢの規格に従ったＵＳＢ Ａ端子であるが、同様の構造であれば本発明はこの規格に限定されることなく使用可能である。
【００１９】
嵌合装置１は、回路基板２と、回路基板２の上であってその縁近傍に搭載された雌コネクタ１０と、雌コネクタ１０の周囲に設けられた雄コネクタ抜け防止装置３と、を備える。
【００２０】
雌コネクタ１０は、その断面が矩形状を呈した筒型に設けられている。雄コネクタ２０は雌コネクタ１０に対して前後に抜き差しできる。雌コネクタ１０の上面には２つの爪１２が設けられている。爪１２は、その爪１２の周囲であって雌コネクタ１０の上面に切れ込みを入れることで形成されたものである。爪１２は、僅かながら下に向けて湾曲しているとともに、上下に弾性的に曲げられるよう可撓性を有する。雌コネクタ１０は、ＵＳＢ規格に従ったものである。
【００２１】
爪１２と係止穴２２が対応する位置にあり、雄コネクタ２０が雌コネクタ１０に嵌め込まれた場合には、爪１２が係止穴２２に係合する。
したがって、従来の構造であっても爪１２と係止穴２２により多少の抜け防止効果を発揮することができる。
【００２２】
図１〜図３を参照して、雄コネクタの抜け防止装置３について説明する。ここで、図３は、図１に示されたIII−IIIの断面図である。
雄コネクタの抜け防止装置３は、ベース３０と、フラップ部材４０と、弾性部材５０と、留め具６０と、付勢部材７０と、を備える。
ベース３０は、回路基板２の前側縁部分において回路基板２に対して立てた状態に設けられたパネル部３６と、パネル部３６の上端から後ろに突き出た天板部３７と、を有する。パネル部３６が雌コネクタ１０の前方に配置され、天板部３７が雌コネクタ１０の上方に配置されている。パネル部３６の後面であってその下部には、凹部３８が形成されている。凹部３８の突き当たり部に差込口３１が形成され、その差込口３１がパネル部３６の前面まで貫通している。雌コネクタ１０の前部がその凹部３８に差し込まれている。差込口３１は雌コネクタ１０の内周よりも若干大きく、前から見て雌コネクタ１０の前面開口１１が差込口３１内に収まり、雄コネクタ２０はこの差込口３１を通って雌コネクタ１０に差し込まれる。
【００２３】
パネル部３６には、フラップ部材４０を装着するための装着部３２が設けられ、装着部３２は差込口３１の上方に位置する。装着部３２はパネル部３６を前後に貫通した空洞である。装着部３２の上面３２ａは装着部３２の下面後部３２ｂに対して傾斜するとともに、その上面３２ａが前から後ろ斜めに上に向かって傾斜している。装着部３２の下面前部３２ｃが後ろから前斜め下に向かって傾斜している。また、装着部３２の前部の左右両側には軸受部３３がそれぞれ設けられている。
【００２４】
フラップ部材４０は、軸４１とフラップ４２とアーム４３を有し、これらが一体となっている。
フラップ４２は軸４１の中央部に設けられ、フラップ４２が軸４１からその径方向前方に延出している。アーム４３は軸４１の左右の中央部に設けられ、アーム４３が軸４１からその径方向後方に延出している。
【００２５】
フラップ部材４０は装着部３２に装着され、軸４１の左右両端部が軸受部３３にそれぞれ係合し、軸４１が左右に延在している。軸４１が軸受部３３に嵌め込まれることで、その軸４１がその軸心回りに回転可能となっている。フラップ４２は装着部３２からパネル部３６の前面側に延出し、アーム４３は装着部３２からパネル部３６の背面側へ突出する。軸４１が軸受部３３によって軸支されているから、アーム４３及びフラップ４２が軸４１を中心に回転可能に設けられている。アーム４３は、後ろに倒伏した倒伏状態から前後方向に対して起立した起立状態までの間を回転可能になっている。フラップ４２は軸４１に関してアーム４３の反対側に向かって延出しているから、アーム４３が後ろに倒伏した状態にある場合にはフラップ４２が前に突き出た状態にあり、アーム４３が起立した状態にある場合にはフラップ４２が下に垂下した状態にある。それ以上の回転はフラップ部材４０が装着部３２の上下に当接するため不可能となる。
【００２６】
弾性部材５０は、フラップ４２とパネル部３６との間又はアーム４３とパネル部３６との間に設けられ、フラップ４２を倒伏状態と起立状態との間の自然状態に保持させるものである。
【００２７】
具体的には、弾性部材５０は板バネであって、以下のように設けられている。すなわち、弾性部材５０は、接片５１と、その接片５１に対して折り曲げられた接片５２とを有する。そして、この弾性部材５０はその折り曲げ部５３を先にしてフラップ部材４０と装着部３２の下面前部３２ｃに嵌め込まれ、フラップ部材４０と装着部３２の下面前部３２ｃとの間に挟まれている。接片５１が装着部３２の下面前部３２ｃに貼着され、接片５２がフラップ部材４０に貼着されている。なお、弾性部材５０が装着部３２の下面後部３２ｂとアーム４３との間に嵌め込まれていてもよいし、装着部３２の上面３２ａとアーム４３との間に嵌め込まれていてもよいが、この場合には接片５１が装着部３２の下面後部３２ｂ又は上面３２ａに貼着され、接片５２がアーム４３に貼着されている。また、弾性部材５０がトーションバネであってもよいし、巻きバネであってもよいが、いずれの場合でも弾性部材５０によってフラップ４２が倒伏状態と起立状態との間の状態に保持される。
【００２８】
天板部３７には、２つのガイド穴３５が設けられている。これらガイド穴３５は天板部３７を上下に貫通している。一方、パネル部３６の背面側には、薄板状の留め具６０が配置されている。この留め具６０の上部には、２つの棒状の被ガイド６２が設けられている。これら被ガイド６２が留め具６０の上部から上方に延出し、これら被ガイド６２がガイド穴３５にそれぞれ挿入されている。被ガイド６２がガイド穴３５によって上下に案内されることで、留め具６０が雌コネクタ１０に対して上下に接離するよう設けられている。ここで、留め具６０が上下動する方向には、雄コネクタ２０が抜き差しされる方向に対して交わる方向であって、具体的にはその抜き差し方向に対して直行する方向である。
【００２９】
留め具６０の下部には、２つの押し付け部６４が設けられている。これら押し付け部６４が留め具６０の下部から下方に延出している。これら押し付け部６４は、雌コネクタ１０の爪１２にそれぞれ対応し、雌コネクタ１０の爪１２の真上に位置する。
【００３０】
また、留め具６０の上部前面には、ツマミ６３が突出した状態に設けられている。一方、パネル部３６の上部であって装着部３２の上方には、ツマミ用穴３４が形成され、ツマミ６３がそのツマミ用穴３４に挿入されて、ツマミ用穴３４から前方に突出している。ツマミ用穴３４が上下に長尺であり、ツマミ６３がパネル部３６に対して上下に移動可能となっている。このため、ツマミ６３はベース３０の前面側から手で上下に動かすことが可能である。
【００３１】
被ガイド６２には付勢部材７０が巻装されている。付勢部材７０はベース３０の上端部と留め具６０の上端との間に挟まれて圧縮されており、付勢部材７０によって留め具６０が下方に付勢されている。なお、付勢部材７０が留め具６０を下方に押す圧縮バネであるが、留め具６０を下方に引っ張る引張バネであってもよい。
【００３２】
留め具６０の上下中央部には、係合穴６１が形成されている。
【００３３】
図３に示すように、雄コネクタ２０が雌コネクタ１０から外れた状態にあっては、留め具６０が付勢部材７０の付勢力に抗して上昇して押し付け部６４が爪１２から上に離れている。この状態にあっては、アーム４３が後ろに倒伏した状態にあり、アーム４３が係合穴６１に挿入されて係合穴６１に係合している。これにより、留め具６０の押し付け部６４が爪１２から上に離れた状態が保持される。この状態にあっては、圧縮状態にある付勢部材７０が留め具６０を下方向へ付勢する力と、弾性部材５０がアーム４３をベース３０に対し倒伏状態から自然状態へ復元させる力と、が釣り合っている。また、フラップ４２が前に突き出た状態で保持されている。
【００３４】
ユーザーが雄コネクタ２０を後方に向かって差込口３１及び雌コネクタ１０に挿入する。そうすると、雄コネクタ２０の係止穴２２に雌コネクタ１０の爪１２が引っ掛かる直前に本体部２３がフラップ４２に当接し、フラップ４２が本体部２３によって後ろに押される。フラップ４２が押されたことで、アーム４３が軸４１を中心にして倒伏状態から起立状態へと回転する。こうして、係合穴６１に係合していたアーム４３が係合穴６１から外れて装着部３２に入り込む。そうすると、留め具６０が付勢部材７０の付勢力によって雌コネクタ１０に向かって下方向に移動し、押し付け部６４が雌コネクタの爪１２に当接する。これとほぼ同時に雄コネクタ２０が雌コネクタ１０に嵌合し、爪１２が係止穴２２に係止する。
【００３５】
以上のように、ユーザーがフラップ４２、アーム４３、留め具６０を自分の手で動かすことなく、雄コネクタ２０を雌コネクタ１０に差し込むという動作だけで、雄コネクタ抜け防止効果を発揮させることができる。
【００３６】
留め具６０が下降した状態にあっても、付勢部材７０が圧縮した状態にあり、その付勢力で爪１２が押し付け部６４によって下方に押圧される（図４参照）。そのため、爪１２が上に向かって変形しにくくなり、爪１２が深く係止穴２２に係止する。従って、雄コネクタ２０の抜けを確実に防止することができる。
【００３７】
図４に示すように、雄コネクタ２０が雌コネクタ１０に嵌合した状態にあっては、アーム４３が起立状態にあり、弾性部材５０によってアーム４３が起立状態から自然状態へ付勢されている。この状態にあっては、アーム４３が留め具６０の前面に当接するとともに、フラップ４２が本体部２３に当接しているので、弾性部材５０によってアーム４３及びフラップ４２が付勢されていても、アーム４３及びフラップ４２の回転が規制される。
【００３８】
雄コネクタ２０と雌コネクタ１０の嵌合を解除するときは、ユーザーが手でツマミ６３を付勢部材７０の付勢力に抗して持ち上げる。ツマミ６３が持ち上げられることで、留め具６０が図３の状態よりも更に上に移動され、係合穴６１の上縁の位置もアーム４３の先端付近まで移動する。そうすると、アーム４３が留め具６０によって保持されなくなるので、弾性部材５０によってアーム４３が起立状態から自然状態へと回転して係合穴６１に挿入される。一方、弾性部材５０の付勢力によってアーム４３が起立状態から自然状態に回転するのに伴い、フラップ４２が前に向かって跳ね上がる。そうすると、本体部２３がフラップ４２によって前方に押され、雄コネクタ２０が僅かながら前方へ自動的に引き抜かれ、爪１２が係止穴２２から外れる。
【００３９】
続いて、ユーザーはツマミ６３を放す。そうすると、ツマミ６３及び留め具６０が解放され、付勢部材７０の付勢力によって留め具６０及びツマミ６３が下降する。留め具６０の下降に伴ってアーム４３が自然状態から倒伏状態に回転する。アーム４３の回転とともにフラップ４２が更に前に跳ね上がり、フラップ４２によって本体部２３が前方に押されることで、雄コネクタ２０が雌コネクタ１０から完全に引き抜かれる（図３参照）。
【００４０】
ユーザーがツマミ６３を移動させずに雄コネクタ２０を引き抜こうとした場合、押し付け部６４が雌コネクタ１０を押圧、固定しているため引き抜くことは困難である。またこの場合には、留め具６０が移動していないため、係合穴６１も移動しておらず、アーム４３は留め具６０に当接したままであるので、弾性部材５０の付勢力に関わらずフラップ４２は回転不可能である。したがって、フラップ４２による、雄コネクタ２０を雌コネクタ１０から引き抜く力も働かない。
【００４１】
以上のように、ユーザーが上述のようにツマミ６３による操作をしなければ、雄コネクタ２０を引き抜くことができない。したがって、雄コネクタ２０を引き抜く時には自分の意志でツマミ６３を上方に持ち上げてから引き抜く必要があり、誤動作を発生しにくくすることができる。
【００４２】
一方、雄コネクタ２０が完全に引き抜かれた時、留め具６０が下降して、アーム４３が倒伏状態になる。そうすると、雄コネクタ２０の挿入前と同様、付勢部材７０によって留め具６０が雌コネクタ１０に向かって付勢される力と、弾性部材５０によってアーム４３が倒伏状態から自然状態へと回転しようとする力と、が釣り合う（図３参照）。そのため、留め具６０が雌コネクタ１０から上に離れた状態が保持される。
【００４３】
本実施形態によれば、雄コネクタ２０挿入前は、付勢部材７０によって付勢される留め具６０がアーム４３によって支持され、雌コネクタ１０から離れた状態で保持される。したがって、コネクタ接続前は留め具６０による止めが働いておらず、また、専用の係止爪等も存在しないため、本実施形態におけるコネクタ接続操作は汎用のコネクタの接続操作と同じ程度の力で差し込むことができ、大きな荷重を付さずとも雄コネクタ２０を雌コネクタ１０に差し込むことができる。雄コネクタ２０挿入後は、留め具６０を支持するアーム４３がはずれ、付勢部材７０により付勢された留め具６０が雌コネクタ１０を介して雄コネクタ２０を止めることにより、電気的に留め具６０を駆動することなく高い抜け防止効果を得ることができる。
また本実施形態によれば、雄コネクタ２０及び雌コネクタ１０の規格を加工することなく雄コネクタ抜け防止装置３を設けたので、雄コネクタ２０及び雌コネクタ１０に既存の規格を用いることができる。
【図面の簡単な説明】
【００４４】
【図１】コネクタ接続前における、雄コネクタと嵌合装置の正面斜視図である。
【図２】コネクタ接続前における、雄コネクタと嵌合装置の背面斜視図である。
【図３】コネクタ接続前における、図１の切断線III-IIIに沿った面の矢視断面図である。
【図４】コネクタ接続後における、図１の切断線III-IIIに沿った面の矢視断面図である。
【符号の説明】
【００４５】
１０  雌コネクタ
１１  前面開口
２０  雄コネクタ
３０  ベース
４１  軸
４２  フラップ
４３  アーム
５０  弾性部材
６０  留め具
６１  係合穴
６３  ツマミ
７０  付勢部材
【図１】
2009289630.tif 000003
【図２】
2009289630.tif 000004
【図３】
2009289630.tif 000005
【図４】
2009289630.tif 000006